(57)【特許請求の範囲】
【請求項１】
電動歯ブラシのハンドルに着脱可能に装着される電動歯ブラシのブラシヘッドであって、
前記ハンドルは、振動可能な駆動軸を備え、前記駆動軸が前記ハンドルから延びており、
前記電動歯ブラシのブラシヘッドは、ブラシヘッド本体と弾性部材を備え、
前記ブラシヘッド本体には、第１の方向に沿って少なくとも前記駆動軸の少なくとも一部を収容する収容室が開設され、前記第１の方向は、前記ブラシヘッド本体の前記ハンドルに連結される一端から、前記ブラシヘッド本体における前記ハンドルから離れた一端に向かう方向であり、前記ブラシヘッド本体は、前記収容室を形成するためのキャビティ壁と、前記キャビティ壁と一体成形して形成された当接壁と、を備え、前記電動歯ブラシのブラシヘッドが装着状態にあるとき、前記当接壁は、外力の作用により前記駆動軸の少なくとも一部に当接し、
前記弾性部材は、前記当接壁が位置する位置に設けられ、前記弾性部材により前記キャビティ壁の外面に沿ってその内面に向かう方向から前記当接壁に当接して、前記駆動軸に当接するのに必要な外力を前記当接壁に与えることを特徴とする電動歯ブラシのブラシヘッド。
【請求項２】
前記ブラシヘッド本体の外面には、収納室が開設され、前記収納室と前記収容室とは、前記当接壁を挟むように設けられ、
前記電動歯ブラシのブラシヘッドは、前記収納室内に収容される係合部材をさらに備え、前記係合部材には、前記弾性部材を収納する収納溝が形成されることを特徴とする請求項１に記載の電動歯ブラシのブラシヘッド。
【請求項３】
前記弾性部材は、弓形のシート状をなし、第１の曲面部と、それぞれ前記第１の曲面部の両端に位置する２つの第２の曲面部と、前記第２の曲面部における前記第１の曲面部から離れた一端に位置する２つの平面部とを有し、
前記第１の曲面部と前記第２の曲面部は、円弧状であることを特徴とする請求項１に記載の電動歯ブラシのブラシヘッド。
【請求項４】
前記当接壁の両側は、スペーサ層を介して前記キャビティ壁と連結され、前記スペーサ層の厚さは、前記当接壁の厚さよりも小さいことを特徴とする請求項１に記載の電動歯ブラシのブラシヘッド。
【請求項５】
前記当接壁の両側と前記キャビティ壁との間には、スリットが開設されていることを特徴とする請求項１に記載の電動歯ブラシのブラシヘッド。
【請求項６】
前記当接壁は、前記当接壁の前記収容室に向かう表面である第１の壁面を含み、前記第１の壁面は、前記駆動軸に当接する凸部が凸設けられることを特徴とする請求項１に記載の電動歯ブラシのブラシヘッド。
【請求項７】
前記当接壁は、前記第１の壁面とは反対側の第２の壁面をさらに含み、前記第２の壁面は、前記当接壁の前記収容室から離れた面であり、前記第２の壁面には、凹部が凹設され、前記弾性部材は、前記凹部に当接し、前記凸部の位置は、前記凹部の位置に対応していることを特徴とする請求項６に記載の電動歯ブラシのブラシヘッド。
【請求項８】
前記駆動軸は、パターンを有する第１の金属部を備え、前記凸部は、前記パターンに当接することを特徴とする請求項６に記載の電動歯ブラシのブラシヘッド。
【請求項９】
前記収納室は、互いに対向する２つの第１の内壁を有し、前記第１の内壁のそれぞれには、第１の方向に沿って係合部が凸設けられ、前記係合部材は、互いに反対側に設けられる２つの第１の側壁の外面を含み、各前記第１の側壁の外面には、係合溝が設けられ、前記係合部は、前記係合溝に係合することを特徴とする請求項２に記載の電動歯ブラシのブラシヘッド。
【請求項１０】
前記収納室の２つの前記第１の内壁は、第２の方向に沿って互いに接近するように傾斜して設けられ、前記第１の側壁は、前記第１の内壁に応じて傾斜して設けられ、前記第２の方向は、前記ブラシヘッド本体の前記収納室が開設された外面に沿って前記ブラシヘッド本体の内部に向かう方向であることを特徴とする請求項９に記載の電動歯ブラシのブラシヘッド。
【請求項１１】
前記収納室は、対向して設けられた第２の内壁及び第３の内壁をさらに含み、前記係合部材は、互いに対向して設けられた第２の側壁及び第３の側壁をさらに含み、前記第２の側壁の外面は、前記第２の内壁に向かって設けられ、前記第３の側壁の外面は、前記第３の内壁に向かって設けられ、前記第２の内壁および前記第３の内壁は、第２の方向に沿って互いに近づくように傾斜して設けられるとともに、前記第２の側壁は、前記第２の内壁に応じて傾斜して設けられ、前記第３の側壁は、前記第３の内壁に応じて傾斜して設けられ、前記第２の方向は、前記ブラシヘッド本体の前記収納室が開設された外面に沿って前記ブラシヘッド本体の内部に向かう方向であることを特徴とする請求項９または１０に記載の電動歯ブラシのブラシヘッド。
【請求項１２】
電動歯ブラシであって、
請求項１乃至１１のいずれか１項に記載の電動歯ブラシのブラシヘッドとハンドルとを備え、前記電動歯ブラシのブラシヘッドが前記ハンドルに着脱可能に装着されることを特徴とする電動歯ブラシ。
【発明の詳細な説明】
【技術分野】
【０００１】
本発明は、電動歯ブラシの技術分野に関し、特に、電動歯ブラシのブラシヘッド及びそれを備えた電動歯ブラシに関する。
【背景技術】
【０００２】
生活水準の向上に伴って、消費者らは、歯の健康にます注目し、電動歯ブラシの利用も幅広く応用されている。
【０００３】
現在、市販される電動歯ブラシには、通常、２つの種類が採用される。このうち、１つの種類は、モーターによりブラシが回転振動するものであり、もう１つの種類は、ブラシヘッドが高周波振動する超音波式電動歯ブラシである。この２つの種類の電動歯ブラシは、通常、ブラシヘッドの振動によって歯を洗浄することを図る。電動歯ブラシのブラシヘッドとブラシハンドルは、一般に、後にブラシヘッドの入れ替えが行われるように、分離可能な構成に設計される。ブラシハンドルの駆動レバーは、ブラシヘッドに連結されるとともに、ブラシヘッドの振動に必要なエネルギを振動すべきブラシヘッドに伝達する。ブラシハンドルとブラシヘッドとの間で振動が発生するため、ブラシハンドルとブラシヘッドとの連結は、振動中に分離しない要求を満たす必要がある。
【０００４】
この要求を満たすために、従来は、ブラシハンドルとブラシヘッドを別途の連結部材で固定して連結することが一般的であった。この連結部材は、ブラシハンドルの駆動軸を収容するための収容キャビティに適合する形状を有し、該収容キャビティ内に完全に収容されかつ固定可能である。組み立てる際に、その連結部材を、先にそのブラシヘッドの収容キャビティ内に挿入して固定する必要がある。ブラシヘッドとブラシハンドルを組み立てる際に、該連結部材に、ブラシハンドルの駆動軸を挿入して、ブラシヘッドとブラシハンドルが連結部材によって固定される。このように、ブラシヘッドとブラシハンドルは、この連結部材により固定されるため、使用中に脱落が生じたり、ブラシヘッドとブラシハンドルとの間にズレが生じたりするなどのことが生じ易い。しかも、余分な連結部材を設ける必要があり、連結部材に使用する材料は、ブラシヘッドに使用する材料とは異なって、連結部材に別個に製造する必要があり、コストの増大が問題となる。
【発明の概要】
【発明が解決しようとする課題】
【０００５】
本発明が解決しようとする課題は、従来技術の不足に対して、脱落しにくく、構造が簡単で、製造工程が簡単な電動歯ブラシのブラシヘッド及びそれを備えた電動歯ブラシを提供することである。
【課題を解決するための手段】
【０００６】
本願明細書に記載の技術に関わる電動歯ブラシのブラシヘッドは、電動歯ブラシのハンドルに着脱可能に装着され、前記ハンドルは、振動可能な駆動軸を備え、前記駆動軸が前記ハンドルから延びており、
前記電動歯ブラシのブラシヘッドは、ブラシヘッド本体と弾性部材を備え、前記ブラシヘッド本体には、第１の方向に沿って少なくとも前記駆動軸の少なくとも一部を収容する収容室が開設され、前記第１の方向は、前記ブラシヘッド本体の前記ハンドルに連結される一端から、前記ブラシヘッド本体における前記ハンドルから離れた一端に向かう方向であり、前記ブラシヘッド本体は、前記収容室を形成するためのキャビティ壁と、前記キャビティ壁と一体成形して形成された当接壁と、を備え、前記電動歯ブラシのブラシヘッドが装着状態にあるとき、前記当接壁は、外力の作用により前記駆動軸の少なくとも一部に当接し、
前記弾性部材は、前記当接壁が位置する位置に設けられ、前記弾性部材により前記キャビティ壁の外面に沿ってその内面に向かう方向から前記当接壁に当接して、前記駆動軸に当接するのに必要な外力を前記当接壁に与える。
【０００７】
また、前記ブラシヘッド本体の外面には、収納室が開設され、前記収納室と前記収容室とは、前記当接壁を挟むように設けられ、
前記電動歯ブラシのブラシヘッドは、前記収納室内に収容される係合部材をさらに備え、前記係合部材には、前記弾性部材を収納する収納溝が形成される。
【０００８】
また、前記弾性部材は、弓形のシート状をなし、第１の曲面部と、それぞれ前記第１の曲面部の両端に位置する２つの第２の曲面部と、前記第２の曲面部における前記第１の曲面部から離れた一端に位置する２つの平面部とを有し、
前記第１の曲面部と前記第２の曲面部は、円弧状である。
【０００９】
また、前記当接壁の両側は、仕切層を介して前記キャビティ壁と連結され、前記仕切層の厚さは、前記当接壁の厚さよりも小さい。
【００１０】
また、前記当接壁の両側と前記キャビティ壁との間には、スリットが開設されている。
【００１１】
また、前記当接壁は、前記当接壁の前記収容室を向かう表面である第１の壁面を含み、前記第１の壁面は、前記駆動軸に当接する凸部が凸設けられる。
【００１２】
また、前記当接壁は、前記第１の壁面とは反対側の第２の壁面をさらに含み、前記第２の壁面は、前記当接壁の前記収容室から離れた面であり、前記第２の壁面には、凹部が凹設され、前記弾性部材は、前記凹部に当接し、前記凸部の位置は、前記凹部の位置に対応している。
【００１３】
また、前記駆動軸は、パターンを有する第１の金属部を備え、前記凸部は、前記パターンに当接する。
【００１４】
また、前記収納室は、互いに対向する２つの第１の内壁を有し、前記第１の内壁のそれぞれには、第１の方向に沿って係合部が凸設けられ、前記係合部材は、互いに反対側に設けられる２つの第１の側壁の外面を含み、各前記第１の側壁の外面には、係合溝が設けられ、前記係合部は、前記係合溝に係合する。
【００１５】
また、前記収納室の２つの前記第１の内壁は、第２の方向に沿って互いに接近するように傾斜して設けられ、前記第１の側壁は、前記第１の内壁に応じて傾斜して設けられ、前記第２の方向は、前記ブラシヘッド本体の前記収納室が開設された外面に沿って前記ブラシヘッド本体の内部に向かう方向である。
【００１６】
また、前記収納室は、対向して設けられた第２の内壁及び第３の内壁をさらに含み、前記係合部材は、互いに対向して設けられた第２の側壁及び第３の側壁をさらに含み、前記第２の側壁の外面は、前記第２の内壁に向かって設けられ、前記第３の側壁の外面は、前記第３の内壁に向かって設けられ、前記第２の内壁および前記第３の内壁は、第２の方向に沿って互いに近づくように傾斜して設けられるとともに、前記第２の側壁は、前記第２の内壁に応じて傾斜して設けられ、前記第３の側壁は、前記第３の内壁に応じて傾斜して設けられ、前記第２の方向は、前記ブラシヘッド本体の前記収納室が開設された外面に沿って前記ブラシヘッド本体の内部に向かう方向である。
【００１７】
本願明細書に記載の技術に関わる電動歯ブラシは、前記記載の電動歯ブラシのブラシヘッドとハンドルとを備え、前記電動歯ブラシのブラシヘッドが前記ハンドルに着脱可能に装着される。
【発明の効果】
【００１８】
従来よりも、本発明の電動歯ブラシのブラシヘッドは、弾性部材によって当接壁に当接して、当接壁に駆動軸に当接するのに必要な外力を与えることができ、これにより、ブラシヘッド本体とハンドルとを連結するとともに、ハンドルが電動歯ブラシのブラシヘッドの振動を従動することを実現する。また、本発明の電動歯ブラシのブラシヘッドは、電動歯ブラシのハンドルに直接装着され、余分に連結部材を装着する必要がなく、装着過程において電動歯ブラシのブラシヘッドとハンドルとの連結を考慮するだけで、電動歯ブラシのブラシヘッドの脱落及び電動歯ブラシのブラシヘッドとハンドルとのずれを効果的に防止でき、ひいては、電動歯ブラシの使用時の安定性を確保し、外観効果にも優れる。なお、ブラシヘッド本体とハンドルとを連結するための構造が簡単であり、余分に連結部材を取り付ける必要がないので、電動歯ブラシのブラシヘッドは、構造が簡単であり、製造が容易であり、生産コストが低い。
【図面の簡単な説明】
【００１９】
【図１】本発明の電動歯ブラシを示す斜視図である。
【図２】図１に示す電動歯ブラシを示す分解図である。
【図３】本発明の電動歯ブラシのブラシヘッドを示す斜視図である。
【図４】図３に示す電動歯ブラシのブラシヘッドの分解図である。
【図５】図３に示す電動歯ブラシのブラシヘッドの別の角度の斜視図である。
【図６】図４に示す電動歯ブラシのブラシヘッドのＶＩ−ＶＩ線に沿った断面図である。
【図７】図３に示す電動歯ブラシのブラシヘッドの一部の模式図である。
【図８】図４に示す電動歯ブラシのブラシヘッドのＶＩＩＩ−ＶＩＩＩ線に沿った断面図である。
【図９】本発明の電動歯ブラシのブラシヘッドの他の実施の形態に係るブラシヘッド本体の一部の模式図である。
【図１０】図９に示す電動歯ブラシのＸ−Ｘ線に沿った断面図である。
【図１１】本発明の電動歯ブラシのブラシヘッドの弾性部材の斜視図である。
【図１２】図１１に示す弾性部材の別の角度を示す図である。
【図１３】本発明の電動歯ブラシのブラシヘッドの係合部材の斜視図である。
【図１４】図１３に示す係合部材の別の角度の斜視図である。
【発明を実施するための形態】
【００２０】
以下、本発明について、図面及び実施例を参照しながら詳細に説明する。
【００２１】
図１および図２を参照して、本発明は、ハンドル２００および上記の電動歯ブラシのブラシヘッド１００を含む電動歯ブラシ３００を提供し、電動歯ブラシのブラシヘッド１００は、電動歯ブラシ３００のハンドル２００に着脱可能に装着される。このうち、ハンドル２００は、公知の技術を採用し、筐体２１０と、筐体２１０内に内蔵されたモーター（図示せず）と、制御板（図示せず）と、電池（図示せず）とを含み、モーターには、ハンドル２００から延びる振動可能な駆動軸２５０を有する。該駆動軸２５０には、電動歯ブラシのブラシヘッド１００が着脱可能に挿着されている。ハンドル２００は、本発明の改良された箇所ではないため、それらについての詳細な説明を省略する。
【００２２】
本実施の形態では、図３及び図４を参照して、電動歯ブラシのブラシヘッド１００は、ブラシヘッド本体１０と、ブラシヘッド本体１０内に収容された弾性部材３０および係合部材５０とを備える。
【００２３】
具体的には、ブラシヘッド本体１０は、毛キャリア１１と、ネック部１２と、挿着部１３とを備え、この毛キャリア１１および挿着部１３は、それぞれネック部１２の両端に位置する。本実施の形態では、ブラシヘッド本体１０は、ＡＢＳプラスチック、ＰＰプラスチック又はＰＯＭプラスチックを採用して、これらの材料では、ブラシヘッド本体１０の安全性及び弾性が増加する。他の実施の形態では、ブラシヘッド本体１０に他の材料を採用してもよく、必ずしもその限りではない。
【００２４】
本実施の形態では、ネック部１２は、細長い棒状構造であり、略直方体状であり、挿着部１３は、略ノントップ円錐状である。他の実施の形態では、ネック部１２が略円柱状であってもよく、挿着部１３が他の形状であってもよく、必ずしもその限りではない。
【００２５】
毛キャリア１１には、歯牙および口腔を清掃するために複数の毛材束１１０が設けられる。本実施の形態では、毛キャリア１１は、いかなる公知の構成でもよく、ここでは説明を省略する。
【００２６】
本実施の形態では、ブラシヘッド本体１０には、第１の方向Ｘ’について駆動軸２５０の少なくとも一部を収容する収容室１４が開設され、第１の方向Ｘ’は、ブラシヘッド本体１０がハンドル２００を連結する一端に沿って、ブラシヘッド本体１０におけるハンドル２００から離れた一端に向けた方向であり、すなわち挿着部１３が毛キャリア１１に向かう方向である。つまり、ブラシヘッド本体１０の長手方向である。本実施の形態では、収容室１４は、駆動軸２５０の第１の金属部２２０を収容する。なお、収容室１４は、ネック部１２及び挿着部１３の境界に開設される。
【００２７】
図５及び図６を参照すると、ブラシヘッド本体１０には、第１の方向Ｘ’に沿って第１の退避スペース１５、及びハンドル２００の一端寄りに位置する第２の退避スペース１６をさらに備え、収容室１４及び第２の退避スペース１６は、それぞれ第１の退避スペース１５の両端に位置する。第１の退避スペース１５は、第２の退避スペース１６と連通して、それぞれハンドル２００の第２の金属部２２０及び固定部２４０を収容する。
【００２８】
第２の金属部２３０が第１の退避スペース１５の壁面に接触せず、固定部２４０が駆動軸２５０の第２の退避スペース１６の壁面に接触しないので、駆動軸２５０に電動歯ブラシのブラシヘッド１００が振動することに影響を与えることを防止する。
【００２９】
ブラシヘッド本体１０は、さらに、収容室１４を収容するキャビティ壁１７及び当接壁１８を含み、キャビティ壁１７及び当接壁１８は、一体成形により形成されており、電動歯ブラシのブラシヘッド１００が装着状態にあるとき、当接壁１８は、外力の作用により駆動軸２５０の第１の金属部２２０に当接する。
【００３０】
本実施の形態では、第１の金属部２２０にはパターン２２１が設けられ、当接壁１８は、駆動軸２５０を電動歯ブラシのブラシヘッド１００に連結するように、パターン２２１に当接している。
【００３１】
電動歯ブラシのブラシヘッド１００は、弾性部材３０によって当接壁１８に当接して、当接壁１８に駆動シャフトに当接するのに必要な外力を与えることができる。このように、弾性部材３０を設けることにより、ハンドル２００の駆動軸２５０が収容室１４に挿入されたときに、当接壁１８と駆動軸２５０との噛み合い力を効果的に大きくすることができ、電動歯ブラシのブラシヘッド１００をより強固に係合させ、脱落し難くし、かつ、弾性部材３０の緩衝力によって効果的に騒音を低減することができる。また、弾性部材３０と当接壁１８との係合作用により駆動軸２５０が引っ掛かり、駆動軸２５０と当接壁１８の凸部１８３との間をより密着させ、電動歯ブラシのブラシヘッド１００の振動効果をより良くしている。
【００３２】
また、本発明の電動歯ブラシのブラシヘッド１００は、電動歯ブラシ３００のハンドル２００に直接装着され、余分な連結部材等を不要とする構成であり、装着過程で電動歯ブラシのブラシヘッド１００とハンドル２００との連結を考慮するだけで、電動歯ブラシのブラシヘッド１００とハンドル２００とのずれを効果的に防止でき、ひいては、電動歯ブラシ３００の使用時の安定性を確保し、外観効果にも優れる。また、本実施の形態では、ブラシヘッド本体１０は一体成形、すなわち当接壁１８とキャビティ壁１７とが一体成形して形成されるため、製造工程を効果的に簡略化でき、生産コストを低減することができる。
【００３３】
さらに、図６及び図７を参照すると、ブラシヘッド本体１０の一つの外面には、収容室１４に対応する位置に収納室１９が開設され、収納室１９と収容室１４とが当接壁１８を介して離間して設けられ、収納室１９が係合部材５０及び弾性部材３０を収容する。
【００３４】
他の実施の形態では、収容室１４の互いに反対側の２つの外面にそれぞれ収納室１９を設け、電動歯ブラシのブラシヘッド１００とハンドル２００との連結をさらに補強するように、各収納室１９内に係合部材５０および弾性部材３０を設けてもよい。
【００３５】
収容室１４は、ブラシヘッド本体１０のいずれか一方の外面から内向きに設置できるので、弾性部材３０が駆動軸２５０の第１の金属部２２０に当接することで、駆動軸２５０を収容室１４にしっかりと係止する。
【００３６】
具体的には、ネック部１２は、第１の表面１２１を含み、挿着部１３は、第２の表面１３１を含み、収納室１９は、第１の表面１２１と第２の表面１３１との接続箇所に開設される。
【００３７】
さらに、当接壁１８は、互いに反対側に配置された第１の壁面１８１および第２の壁面１８２を含み、第１の壁面１８１は、当接壁１８の収容室１４の表面を向う表面であり、この第１の壁面１８１には、駆動軸２５０の第１の金属部２２０に当接するための凸部１８３が凸設されており、第２の壁面１８２は、当接壁１８の収納室１９の表面を向う表面であり、すなわち、当接壁１８が収容室１４の表面から離れており、第２の壁面１８２には、凹部１８４が凹設され、弾性部材３０の少なくとも一部が凹部１８４に当接し、凸部１８３の位置が凹部１８４の位置に対応する。
【００３８】
当接壁１８の第１の壁面１８１に凸部１８３を凸設することで、第２の壁面１８２の凹部１８４に弾性部材３０の少なくとも一部が当接することで、弾性部材３０の弾性力が、当接壁１８の凹部１８４に集中的に作用することができ、当接壁１８も受けた弾性力を駆動軸２５０に引っ掛けることができ、これにより、ハンドル２００からの電動歯ブラシのブラシヘッド１００の脱落を防止して、電動歯ブラシのブラシヘッド１００の振動をより安定および静粛化することができる。
【００３９】
また、このようにブラシヘッド本体１０とハンドル２００とを連結するとともに、ハンドル２００が電動歯ブラシのブラシヘッド１００の振動を従動することを実現する。ブラシヘッド本体１０とハンドル２００とを連結するための構造が簡単であり、余分に連結部材を取り付ける必要がないので、電動歯ブラシのブラシヘッド１００は、構造が簡単であり、製造が容易であり、生産コストが低い。
【００４０】
図７及び図８を参照しながら、本実施の形態では、当接壁１８の両側は、スペーサ層１８５によりキャビティ壁１７に接続され、スペーサ層１８５の厚さは、当接壁１８の厚さよりも小さい。
【００４１】
スペーサ層１８５の厚みは、０．０５〜２．０ｍｍの範囲、例えば０．１ｍｍである。当接壁１８の長さは、２．０〜１３．５ｍｍの範囲、例えば８．５ｍｍであり、当接壁１８の幅は、０．５〜５．３ｍｍの範囲、例えば１．５ｍｍであり、当接壁１８の厚みは、０．１〜２．０ｍｍの範囲、例えば０．６ｍｍである。
【００４２】
当接壁１８とキャビティ壁１７との間に上記寸法のスペーサ層１８５を設けることにより、当接壁１８の振動に影響を与えることなく、さらに、収納室１９内に収容された水や塵埃等が収容室１４内に侵入することを防ぐことができる。
【００４３】
図９及び図１０を参照しながら、本発明の別の実施の形態では、当接壁１８の両側とキャビティ壁１７との間には、スリット１８６が開設されている。
【００４４】
本実施の形態では、当接壁１８をより好適な柔軟性を持たせつつ、製造過程で強型抜きが容易で、金型コストを削減でき、ひいては生産コストを削減できる。
【００４５】
本実施の形態では、再び図６を参照して、キャビティ壁１７は、当接壁１８に対向して設けられた第１のストッパ壁１７１と、第２のストッパ壁１７２とをさらに含み、この第１のストッパ壁１７１は、駆動軸２５０の第１の金属部２２０が収容室１４内に収容されたときに、駆動軸２５０のがたつきや回転を効果的に防止することができる。第２のストッパ壁１７２は、第１のストッパ壁１７１に対して垂直に設けられ、駆動軸２５０が第１の方向Ｘ’に移動することを防止することができる。
【００４６】
本実施の形態では、弾性部材３０は、係合部材５０内に収容され、かつ、当接壁１８と対向して設けられ、キャビティ壁１７の外面に沿って収容室１４に向かう方向に当接壁１８を当接することで、駆動軸２５０を当接するために必要な外力を当接壁１８に供給する。
【００４７】
弾性部材３０が当接壁１８に当接することにより、当接壁１８に、駆動軸２５０と当接するために、十分な外力を提供することが可能である。
【００４８】
図１１及び図１２を参照すると、本実施の形態では、弾性部材３０は、弓形のシート状をなしている。具体的には、弾性部材３０は、第１の曲面部３１と、第１の曲面部３１の両端に位置する２つ第２の曲面部３２と、第２の曲面部３２における第１の曲面部３１から離れた一端に位置する２つ平面部３３と、を含み、第１の曲面部３１と第２の曲面部３２とは曲面状であり、第１の曲面部３１が凹む方向と第２の曲面部３２が凹む方向とは反転である。
【００４９】
なお、第１の曲面部３１が位置する円の半径Ｒ１の範囲は、２〜１０ｍｍであり、対応する中心角αの範囲は、３８〜４８度であり、第２の曲面部３２が位置する円の半径Ｒ２の範囲は、３〜１０ｍｍであり、対応する中心角βの範囲は、１５〜３０度である。
【００５０】
このような形状を選択することにより、両辺の平面部３３を支持点とし、第１の曲面部３１が力を受けたときに十分な弾性力が発生し、弾性部材３０の第１の曲面部３１及び／又は第２の曲面部３２のラジアンが大きすぎるか又は小さすぎると、所望の弾力が実現しにくくなり、係合力が不十分となり、実用に電動歯ブラシのブラシヘッド１００が落ちやすくなるが、本発明では、上記の弾性部材３０を用いることにより、弾性部材３０の弾力を確保し、電動歯ブラシのブラシヘッド１００と駆動軸２５０との係合力を確保し、実用に電動歯ブラシのブラシヘッド１００が外れることを防止しつつ、振動を安定的に維持することができ、しかも振動時に騒音が低く、耐久性及び長寿命である。
【００５１】
さらに、弾性部材３０のうち２つの平面部３３の互いに離れた端部間の直線距離Ｄ１の範囲は、８．０〜１５．０ｍｍであり、例えば１０ｍｍ、１１ｍｍ、１３ｍｍ等、弾性部材３０の厚さｈ１の範囲は、０．１５〜０．５ｍｍであり、例えば、０．２ｍｍ、０．３ｍｍ等、弾性部材３０の幅ｗ１の範囲は、０．５〜７．０ｍｍであり、例えば、３．０ｍｍ、４．０ｍｍ、５．０ｍｍ等である。
【００５２】
本実施の形態では、第１の曲面部３１の両端の距離Ｄ２の占有範囲は、２０〜４０％であり、２つの第２の曲面部３２の距離Ｄ３の占有比の和である２×Ｄ３の占有範囲は３７〜５７％であり、２つの平面部３３の距離Ｄ４の占有比の和である２×Ｄ４の占有範囲は、１３〜３３％である。
【００５３】
また、平面部３３と第１の曲面部３１との高さ差Δｈの範囲は、０．５ｍｍ〜１．０ｍｍである。
【００５４】
他の実施の形態では、弾性部材３０の両端の距離、第１の曲面部３１、第２の曲面部３２、及び平面部３３の距離占有比などは、需要に応じて調節すればよく、必ずしもその限りではない。
【００５５】
本実施の形態では、弾性部材３０の第１の曲面部３１が凹部１８４に当接し、当接壁１８に外力を集中的に与えることができる。
【００５６】
凸部１８３が使用するハンドル２００の駆動軸２５０上のパターン２２１に当接し、弾性部材３０の第１の曲面部３１が凹部１８４に当接し、弾性部材３０の弾性力が凹部１８４に集中して発力して、ひいては、駆動軸２５０に当接することで、弾性力が他方向に拡散することを回避する。
【００５７】
本実施の形態では、弾性部材３０の材料は、ベリリウム銅又はステンレス鋼であってもよい。
【００５８】
他の実施の形態では、前記弾性部材３０は、他の材料によって構成されていてもよく、必ずしもその限りではない。
【００５９】
このように、上記の材料を用いることにより、弾性部材３０の弾性力を確保しつつ、係合力度を保証することができる。
【００６０】
図１０、図１３および図１４を参照して、係合部材５０が収納室１９内に係合する。
【００６１】
本実施の形態では、係合部材５０は、弾性部材３０を収容する収納溝５１を備え、弾性部材３０は、シート状構造を有し、弾性部材３０のシート状構造の両端が収納溝５１の両端に当接することにより、弾性部材３０が力を受ける際に十分な弾性力を生じる。
【００６２】
本実施の形態では、図１４を参照して、収納室１９は、対向配置された２つの第１の内壁１９１を含み、各第１の内壁１９１には、第１の方向Ｘ’に沿って係合部１９２が凸設けられ、係合部材５０は、互いに反対側に設けられる２つの第１の側壁５２を含み、各第１の側壁５２の外面には、係合溝５２１が開設され、係合部１９２が係合溝５２１内に係合する。これにより、係合部材５０が収納室１９内に容易かつ十分に係合できる。
【００６３】
本実施の形態では、図１４を参照して、係合部材５０の係合溝５２１の長さ範囲Ｌ２は、５〜１３ｍｍであり、例えば７．０ｍｍ、幅Ｗ２の範囲は、０．２〜１．５ｍｍであり、例えば０．６ｍｍである。
【００６４】
係合部１９２は、係合部１９２を係合溝５２１内に係合可能となるように、係合部１９２の寸法が係合溝５２１に合致する。このため、組付状態では、係合部１９２が係合溝５２１に安定的に係合可能となるように、係合溝５２１が第１の側壁５２におけるキャビティ壁１７に近い一側に位置する。
【００６５】
本実施の形態では、係合部材５０が、係合溝５２１内に対して安定に係合するように、係合部１９２が第１の内壁１９１におけるキャビティ壁１７に近い一側に位置しており、その分、係合溝５２１が、第１の側壁５２が装着状態においてキャビティ壁１７と近い側に位置している。
【００６６】
これにより、係合部材５０を収納室１９内に十分に係合できる。
【００６７】
他の実施の形態では、他の態様で係合部材５０を収納室１９内に固定してもよく、例えば、超音波溶着等の態様を採用してもよい。
【００６８】
本実施の形態では、製造過程において強い型抜きが容易で、製造が容易で、金型コストが削減されるように、係合部１９２は、ストライプ形状であり、かつ、周囲に一定のラジアンを持っている。
【００６９】
他の実施の形態では、係合部１９２は、他の任意に係合し易い形状であってもよく、必ずしもその限りではない。
【００７０】
なお、他の実施の形態では、係合部材５０の外面は、必要に応じて必要なパターン、形状、色等を設けることができ、必ずしもその限りではない。
【００７１】
さらに、収納室１９の２つの第１の内壁１９１は、第２の方向Ｙ’に沿って互いに接近するように傾斜して設けられ、２つの第１の内壁１９１と第１の方向Ｘ’に垂直な平面とのなす角度の範囲は、３〜５度であり、例えば４度等、第１の側壁５２は、第１の内壁１９１に対応して傾斜して設けられ、第２の方向Ｙ’は、ブラシヘッド本体１０に収納室１９が開口された外面から、ブラシヘッド本体１０の内部に向かう方向である。
【００７２】
収納室１９は、対向配置された第２の内壁１９３及び第３の内壁１９４をさらに有し、係合部材５０は、対向配置された第２の側壁５３及び第３の側壁５４をさらに有し、第２の側壁５３の外面は、第２の内壁１９３に向けて設けられ、第３の側壁５４の外面は、第３の内壁１９４に向けて設けられ、第２の内壁１９３及び第３の内壁１９４は第２の方向Ｙ’に沿って互いに接近するように傾斜して設けられ、第２の内壁１９３及び第３の内壁１９４は、それぞれに第１の方向Ｘ’に直交する平面とのなす角度の範囲が３〜５度であり、第２の側壁５３は第２の内壁１９３に対応して傾斜して設けられ、第３の側壁５４は第３の内壁１９４に対応して傾斜して設けられる。
【００７３】
このような傾斜構造を設けることにより、一定のガイド作用を果たすことができ、ひいては組立てが容易となり、組立速度が速くなり、組立コストが減少する。
【００７４】
他の実施の形態では、第１の内壁１９１と第２の内壁１９３とは、傾斜して設けられていなくてもよく、必ずしもその限りではない。
【００７５】
ここで、収納室１９の第３の内壁１９４から挿着部１３におけるネック部１２から離れた端面までの垂直距離Ｄ５の範囲は、５〜１９ｍｍであり、例えば１２．３ｍｍである。
【００７６】
本実施の形態では、係合部材５０が収納室１９内に強固に収容されるように、第２の側壁５３に第１の円弧溝５３１が形成され、第３の側壁５４に第２の円弧溝５４１が形成され、収納室１９において、当接壁１８の両端に第１の取付部１９５および第２の取付部１９６が設けられる。
【００７７】
本実施の形態では、第１の取付部１９５と第２の取付部１９６とが当接壁１８との間に形成する夾角は、直角である。
【００７８】
他の実施の形態では、第１の取付部１９５と第２の取付部１９６とが当接壁１８との間に形成する回転角は、弧状でもよく、必ずしもその限りではない。
【００７９】
図１４を参照して、本実施の形態では、係合部材５０内の収納溝５１の長さＬ１の範囲が８〜１５ｍｍであり、例えば１１ｍｍ、第１の側壁５２の高さＨ１の範囲が１．０〜２．０ｍｍであり、例えば１．４ｍｍである。
【００８０】
収納溝５１の寸法は、弾性部材３０の寸法に一致するが、必ずしもその限りではない。
【００８１】
係合部材５０及び収納室１９の寸法を必要に応じて適宜調整することができ、ここでは限定されない。
【００８２】
本実施の形態では、係合部材５０は、第３の表面５５及び第４の表面５６を含み、第３の表面５５及び第４の表面５６は、鈍角を成しており、装着状態において、第３の表面５５は第１の表面１２１と同一面上にあり、第４の表面５６は第２の表面１３１と同一面上にある。
【００８３】
このように、係合部材５０の外面は、ブラシヘッド本体１０の外面に合わせるため、電動歯ブラシのブラシヘッド１００全体の外観に影響を与えない。
【００８４】
本実施の形態では、収容室１４は、ネック部１２及び挿着部１３内に開口しており、当接壁１８や収納室１９は、ネック部１２と挿着部１３との接続線が属する平面２０に対して対称である。
【００８５】
この電動歯ブラシのブラシヘッド１００の装着時には、先に、弾性部材３０を係合部材５０の収納溝５１内にセットし、次に、この係合部材５０を収納室１９内に係合すればよい。
【００８６】
本発明の電動歯ブラシのブラシヘッド１００は、ブラシヘッド本体１０と弾性部材３０を備え、ブラシヘッド本体１０には、第１の方向Ｘ’に沿って少なくとも駆動軸２５０の一部を収容する収容室１４が開設され、第１の方向Ｘ’は、ブラシヘッド本体１０のハンドルを連結する一端に沿って、ブラシヘッド本体１０におけるハンドルから離れた一端に向かう方向であり、ブラシヘッド本体１０は、収容室１４を形成するためのキャビティ壁１７と、キャビティ壁１７と一体成形して形成された当接壁１８と、を備え、電動歯ブラシのブラシヘッド１００が装着状態にあるとき、当接壁１８は、外力の作用により駆動軸２５０の少なくとも一部に当接する。
【００８７】
弾性部材３０は、当接壁１８と対向するように設けられ、弾性部材３０によりキャビティ壁１７の外面に沿ってその内面に向かう方向から当接壁１８に当接して、駆動軸２５０に当接するのに必要な外力を当接壁１８に与える。
【００８８】
本発明の電動歯ブラシのブラシヘッド１００は、弾性部材３０によって当接壁１８に当接して、当接壁１８に駆動軸２５０に当接するのに必要な外力を与えることができ、これにより、ブラシヘッド本体１０とハンドル２００とを連結するとともに、ハンドル２００が電動歯ブラシのブラシヘッド１００の振動を従動することを実現する。
【００８９】
ブラシヘッド本体１０とハンドル２００とを連結するための構造が簡単であり、余分に連結部材を取り付ける必要がないので、電動歯ブラシのブラシヘッド１００は、構造が簡単であり、製造が容易であり、生産コストが低い。
【００９０】
また、本発明の電動歯ブラシのブラシヘッド１００は、電動歯ブラシ３００のハンドル２００に直接装着され、余分に連結部材を装着する必要がなく、装着過程において電動歯ブラシのブラシヘッド１００とハンドル２００との連結を考慮するだけで、電動歯ブラシのブラシヘッド１００の脱落及び電動歯ブラシのブラシヘッド１００とハンドル２００とのずれを効果的に防止でき、ひいては、電動歯ブラシ３００の使用時の安定性を確保し、外観効果にも優れる。
【００９１】
上記は本発明の実施例であるにすぎず、これによって本発明の特許請求の範囲を限定するものではなく、本発明の明細書および図面の内容を用いて行われたすべての同等の構造または同等のプロセス変換、または他の関連する技術分野で直接的にもしくは間接的に用いたものは、いずれも同じ理由で本発明の特許保護の範囲内に含まれる。
【図１】
0006941745.tif 000002
【図２】
0006941745.tif 000003
【図３】
0006941745.tif 000004
【図４】
0006941745.tif 000005
【図５】
0006941745.tif 000006
【図６】
0006941745.tif 000007
【図７】
0006941745.tif 000008
【図８】
0006941745.tif 000009
【図９】
0006941745.tif 000010
【図１０】
0006941745.tif 000011
【図１１】
0006941745.tif 000012
【図１２】
0006941745.tif 000013
【図１３】
0006941745.tif 000014
【図１４】
0006941745.tif 000015